(57)【特許請求の範囲】
【請求項１】
掃除機本体と、
前記掃除機本体に下流側端が接続されるホースと、
前記ホースの上流側端に下流側端が接続される接続管と、
接続管の上流側端に接続される吸込口体と、
前記接続管の管軸方向に沿って移動自在に設けられ、前記接続管からの延伸長さが調整可能とされる長尺状の取手と
を備え、
前記接続管は、前記取手を移動させる際に使用者が把持する把持部を上流側端に有し、
前記取手は、前記接続管に移動自在に取り付けられる移動部を、前記延伸長さが最小の状態で前記接続管の上流側端に近い側の端部に有し、
前記接続管又は取手には、前記把持部と前記移動部とが接触するのを規制する規制部が存在し、
前記接続管は、前記吸込口体と前記ホースとに連通する空間を内部に有する筒部と、前記筒部の上面に対して上方に間隔をおいて前記筒部と平行に延伸する延伸部とを有し、
前記規制部は、前記筒部の上面と前記延伸部の下面との間に存在する
電気掃除機。
【請求項２】
前記規制部は、前記筒部から前記延伸部に向けて突出する突出部により構成されている
請求項１に記載の電気掃除機。
【請求項３】
前記規制部は、前記把持部から前記移動部に向けて突出する突出部により構成されている
請求項１に記載の電気掃除機。
【請求項４】
前記取手は、前記延伸部を挿抜自在に収容する直管状の取手筒部と、前記取手筒部の下面に前記移動部とを有し、
前記移動部は、前記筒部に対して摺動可能に前記筒部に嵌合する嵌合部分を有する
請求項１〜３の何れか１項に記載の電気掃除機。
【請求項５】
前記取手は、前記掃除機本体の駆動用のスイッチ操作部を有し、
前記スイッチ操作部と前記掃除機本体とを電気的に接続するスイッチ用配線が前記延伸部内に収容されている
請求項１〜４の何れか１項に記載の電気掃除機。
【発明の詳細な説明】
【技術分野】
【０００１】
本発明は、キャニスタ式の電気掃除機に関する。
【背景技術】
【０００２】
一般的なキャニスタ式の電気掃除機は、掃除機本体と、掃除機本体の吸引口に一端が接続されるホースと、ホースの他端に接続された接続管と、接続管に接続された吸込口体とを備えている。この電気掃除機では、操作者の取手位置の高さを調整するために、接続管は、第１接続管と、当該第１接続管に対して挿抜自在に設けられた第２接続管とからなる。
また、例えば、特許文献１では、掃除機本体、ホース、接続管および吸込口体の他に、接続管に対して伸縮自在に設けられた取手を備えた電気掃除機が提案されている。この電気掃除機では、取手位置の高さ調整のために、接続管に対して取手が伸縮できるようになっている。
【先行技術文献】
【特許文献】
【０００３】
【特許文献１】特開２００３−２１９９９５号公報
【発明の概要】
【発明が解決しようとする課題】
【０００４】
しかしながら、上記の掃除機では安全性に劣るという課題がある。例えば、前者の電気掃除機では、第１接続管に対して第２接続を縮める際に、第１接続管と第２接続管との間に指を挟むおそれがある。後者の電気掃除機では、接続管に対して取手を縮める際に、接続管と取手との間に指を挟むおそれがある。
本発明は、安全性の高い電気掃除機を提供することを目的とする。
【課題を解決するための手段】
【０００５】
上記課題を解決するため、本発明の一実施形態に係る電気掃除機は、掃除機本体と、前記掃除機本体に下流側端が接続されるホースと、前記ホースの上流側端に下流側端が接続される接続管と、接続管の上流側端に接続される吸込口体と、前記接続管の管軸方向に沿って移動自在に設けられ、前記接続管からの延伸長さが調整可能とされる長尺状の取手とを備え、前記接続管は、前記取手を移動させる際に使用者が把持する把持部を上流側端に有し、前記取手は、前記接続管に移動自在に取り付けられる移動部を、前記延伸長さが最小の状態で前記接続管の上流側端に近い側の端部に有し、前記接続管又は取手には、前記把持部と前記移動部とが接触するのを規制する規制部が存在する。
【発明の効果】
【０００６】
上記構成の電気掃除機では、指を挟むおそれを少なくでき、安全性の高いものとなる。
【図面の簡単な説明】
【０００７】
【図１】実施形態の電気掃除機の概略図。
【図２】縮めた状態の接続管と取手の斜視図。
【図３】縮めた状態の接続管と取手の断面図。
【図４】伸ばした状態の接続管と取手の斜視図。
【図５】伸ばした状態の接続管と取手の断面図。
【図６】接続管と取手の横断面図。
【図７】規制部の周辺拡大図。
【図８】接続管の分解斜視図。
【図９】取手の分解斜視図。
【図１０】変形例に係る規制部の周辺拡大図。
【発明を実施するための形態】
【０００８】
本発明の一態様に係る掃除機は、掃除機本体と、前記掃除機本体に下流側端が接続されるホースと、前記ホースの上流側端に下流側端が接続される接続管と、接続管の上流側端に接続される吸込口体と、前記接続管の管軸方向に沿って移動自在に設けられ、前記接続管からの延伸長さが調整可能とされる長尺状の取手とを備え、前記接続管は、前記取手を移動させる際に使用者が把持する把持部を上流側端に有し、前記取手は、前記接続管に移動自在に取り付けられる移動部を、前記延伸長さが最小の状態で前記接続管の上流側端に近い側の端部に有し、前記接続管又は取手には、前記把持部と前記移動部とが接触するのを規制する規制部が存在する。
この構成により、把持部と移動部とが接触することがなくなり、指を挟むおそれを少なくできる。
【０００９】
また、他の態様に係る掃除機では、前記接続管は、前記吸込口体と前記ホースとに連通する空間を内部に有する筒部と、前記筒部の上面に対して上方に間隔をおいて前記筒部と平行に延伸する延伸部とを有し、前記規制部は、前記筒部と前記延伸部との間に存在している。
この構成により、筒部と延伸部との間に使用者の指が入り難くなり、例えば、規制部と把持部との間や規制部と移動部との間に指を挟むようなことを少なくできる。
また、他の態様に係る掃除機では、前記規制部は、前記筒部から前記延伸部に向けて突出する突出部により構成されている。あるいは、前記規制部は、前記把持部から前記移動部に向けて突出する突出部により構成されている。この構成により、規制部を簡単な構造で実施できる。
【００１０】
また、他の態様に係る掃除機では、前記取手は、前記延伸部を挿抜自在に収容する直管状の取手筒部と、前記取手筒部の下面に前記移動部とを有し、前記移動部は、前記筒部に対して摺動可能に前記筒部に嵌合する嵌合部分を有する。この構成により、移動部を簡単な構造で実施できる。
また、他の態様に係る掃除機では前記取手は、前記掃除機本体の駆動用のスイッチ操作部を有し、前記スイッチ操作部と前記掃除機本体とを電気的に接続するスイッチ用配線が前記延伸部内に収容されている。これにより、電気的接続を容易に実施できる。
【００１１】
＜実施形態＞
次に第１の実施形態について図１から図９を用いて説明する。
１．電気掃除機の概略
電気掃除機１は、図１に示すように、掃除機本体３、接続体５、吸込口体７を備える。接続体５は掃除機本体３と吸込口体７とを着脱自在に接続する。電気掃除機１は、フローリングやカーペット等の清掃面上の塵埃等を吸込口体７から吸込み、接続体５を介して掃除機本体３内に吸引する。
ここで、塵埃等が吸込口体７から掃除機本体３の内部まで吸引される流路を吸引路とする。吸引路において、吸込口体７が位置する「側」を「上流側」とし、掃除機本体３が位置する「側」を「下流側」とする。
また、電気掃除機１を使用する使用者から見て、吸込口体７が存在する側を前側とし、掃除機本体３が存在する側を後側とする。吸込口体７と掃除機本体３とを結ぶ方向を前後方向といい(図１参照）、前後方向と直交する方向を「左右方向」という（図１参照）。また、清掃面に対して直交する方向を、単に「上下方向」といい、清掃面から離れる側を「上側」、清掃面に近づく側を「下側」とそれぞれいう。
以下、各構成の概略を説明する。
【００１２】
（１）掃除機本体
掃除機本体３は、塵埃等を吸引するための電動送風機と、電動送風機よりも上流側に配された集塵スペースとを筐体１１内に備える。集塵方式は、サイクロン式でもよいし、紙パック式でもよいし、両者を併用してもよい。ここでは、紙パック式を利用している。
掃除機本体３は、接続体５が着脱自在に接続される接続部１３を筐体１１に備える。接続部１３は集塵スペースと連通する流路を内部に有している。
筐体１１は、集塵スペースに対応する部位に取出口を有する筐体本体１５と、筐体本体１５の取出口を開閉自在に閉じる蓋体１７とを有する。接続部１３を通って集塵スペース（紙パック）に集塵された塵埃等は、蓋体１７を開けることで、取出口を介して取り出される。
掃除機本体３は、キャニスタ式であり、移動補助用の車輪１９や、方向変換用の車輪等を筐体１１に備えている。
【００１３】
（２）接続体
接続体５は、接続管２１、ホース２３、取手２５を備えている。
接続管２１は接続体５における吸引路の上流側に位置する。接続管２１の上流側端である上流側口部２７は吸込口体７と着脱自在に接続される。ホース２３は可撓性を有する湾曲自在な筒体で構成される。ホース２３は接続体５における吸引路の下流側に位置する。ホース２３の下流側端である下流側口部２９は掃除機本体３の接続部１３に着脱自在に接続される。
接続管２１の下流側端は、接続管２１の内部とホース２３の内部とが連通する状態で、ホース２３の上流側端に接続される。これにより、接続体５内に吸引路の一部が形成される。
【００１４】
取手２５は、接続管２１の管軸の延伸する方向（以下、「管軸方向」という。）に移動可能に接続管２１に設けられている。これにより、取手２５は、接続管２１の下流側端から延伸する延伸長さが調整可能となる。なお、管軸方向は、管軸が延伸する方向だけでなく、管軸と平行な方向も含む。
取手２５の接続管２１からの延伸長さが最小となる状態で、接続管２１の下流側端に近い側の端部は、操作者が掃除する際に把持するハンドル部３１となっている。
取手２５は、掃除機本体３の電動送風機の駆動・停止を操作したり、吸込口体７の回転ブラシの回転・停止を操作したり、吸引力の強弱を選択したりするためのスイッチ操作部３３を有している。
取手２５におけるハンドル部３１と反対側の端部には、接続管２１に対する位置調整を行うための位置調整操作部３５を有している。なお、取手２５におけるハンドル部３１と反対側の端部は、本発明の「移動部」の一例に相当する。
なお、接続体５における接続管２１と取手２５の詳細については、後述する
【００１５】
（３）吸込口体
吸込口体７は、例えば、吸込部４１、ジョイント部４３、継手部４５を有し、継手部４５が接続管２１の上流側口部２７に着脱自在に接続される。
吸込部４１は、左右方向に延伸する第１吸込空間と、前後方向に延伸する第２吸込空間とを連通状態で内部に有する。吸込部４１は、清掃面と対向する対向面（底面）に塵埃等を吸込むための吸込口を第１吸込空間の開口として有している。第１吸込空間には、例えば、回転ブラシが設けられている。なお、回転ブラシが設けられていなくてもよい。
ジョイント部４３および継手部４５は第２吸込空間に連通する空間を内部に有している。ジョイント部４３は、吸込部４１に対して、例えば、前後方向を回転中心として回転自在に設けられている。継手部４５は、ジョイント部４３に対して、例えば、左右方向を回転中心として回転自在（上下方向に起伏自在）に設けられている。
【００１６】
２．接続管と取手
取手２５は、上述の概略説明のように、接続管２１からの延伸長さが調整自在な状態で接続管２１に設けられている。例えば、取手２５は、接続管２１に対して移動自在に取り付けられる取付部４７をハンドル部３１と反対側の端部に有している。
取手２５の延伸長さが最小の状態では、図２および図３に示すように、取付部４７が接続管２１の上流側口部２７に最も近づく。取手２５の延伸長さが最大の状態では、図４および図５に示すように、取付部４７が接続管２１の下流側端部４９に最も近づく。
接続管２１又は取手２５には、取付部４７が上流側口部（把持部）２７に近づいた際に取付部４７と上流側口部２７とが当接(接触）するのを規制する規制部５３が設けられている。
【００１７】
（１）接続管  接続管２１は、図２〜図５に示すように、上流側から、上流側口部２７、筒部５５、下流側端部４９の順で有している。接続管２１は、筒部５５と間隔をおいて筒部５５と平行に延伸する延伸部５７を有している。
（あ）筒部
筒部５５は、塵埃等が通過する吸引路を構成する空間５５ａを管軸方向に沿って内部に有している。筒部５５は、管軸方向と直交する断面（以下、「横断面」という。）の形状および寸法は、ここでは、管軸方向に移動したときに変化せずに一定であるが、形状および寸法は変化してもよい。筒部５５の横断面形状は、非円形状をしている。ここでは、筒部５５の横断面形状は、上下方向に長い長円形状に似た形状をしている。
筒部５５は、図３や図５に示すように、内部が上記空間５５ａである筒部分５９を有している。筒部５５は、筒部分５９における延伸部５７が存在する側に、配線収容部分６１を有している。配線収容部分６１は、掃除機本体３の電動風送機と電気的に接続された駆動用配線（図示省略）を収容する。この駆動用配線は、後述の把持部２７内に収容されている端子部に接続される。
【００１８】
（い）上流側口部（把持部）
上流側口部２７は、吸引路の一部を構成する空間６３ａを内部に有する上流側筒部６３を有している。空間６３ａは、接続管２１の管軸に沿って伸び、筒部５５の内部の空間５５ａに連続する。
上流側口部２７は、横断面において、筒部５５よりも大きな部分を有する。ここでは、上流側筒部６３の上面に設けられた端子収容部６５が上記大きな部分に相当する。端子収容部６５の上面は筒部５５の上面よりも高い。これにより、筒部５５と上流側口部２７との間に段差が形成される。
なお、上流側口部２７は、取手２５を接続管２１に対して移動させる際に、使用者が把持する部分として機能する可能性が高い。つまり、ここでは、上流側口部２７は把持部としても構成され、把持部の符号も「２７」を用いる。
端子収容部６５には、筒部５５内に配された駆動用配線と、延伸部５７内に配されたスイッチ用配線とを接続する端子（図示省略）が収容されている。なお、端子収容部６５には、吸込口体７の上流側口部２７への装着状態を解除する解除手段６７が設けられている。
端子収容部６５の上面であって筒部５５側に延伸部５７のベース部分６９が設けられている。ベース部分６９は中空状であり、延伸部５７内に配されているスイッチ用配線が端子収容部６５へと導出されるようになっている。
【００１９】
（う）下流側端部
下流側端部４９は、吸引路の一部を構成する空間７１ａを内部に有する下流側筒部７１を有している。空間７１ａは、接続管２１の管軸に沿って伸び、筒部５５の内部の空間５５ａに連続する。
下流側端部４９は、断面において、筒部５５よりも大きな部分を有する。ここでは、筒部５５よりも直径が大きい大径部となっている。大径部は、下流側筒部７１の外周に設けられた大径筒部７３により構成される。つまり、下流側端部４９は、下流側筒部７１と大径筒部７３とを有している。
大径筒部７３は、横断面において延伸部５７が存在する側に、取手２５をスライド自在に支持する支持手段を構成する支持部７４を有している。ここでの「延伸部５７が存在する側」は上側である。つまり、支持部７４は、大径筒部７３の上部に存在する。
【００２０】
（え）延伸部
延伸部５７は、取手２５の接続管２１からの延伸長さが最大の状態で、延伸部５７の先端が取手２５内に位置する長さを有している。延伸部５７は、中空状且つ延伸先端は開放状に構成されている。延伸部５７の横断面形状は、非円形状をしている。横断面形状は、例えば、左右方向に広い扁平状をしている。延伸部５７の内部には、スイッチ用配線が収容されている。
取手２５と接続管２１とには、取手２５の接続管２１に対する位置を固定する位置決め手段が設けられている。ここでは、位置決め手段は、凹部と凸部とを有し、凸部が凹部に入り込む（係合する）ことで、取手２５が接続管２１に位置決めされる。なお、位置決めの固定・解除は、使用者の位置調整操作部３５の操作により行われる。
位置決め手段の凹部５７ａは、延伸部５７の上面に設けられている。凹部５７ａは、延伸部５７の延伸方向に間隔をおいて複数個設けられている。なお、凸部は、取手２５の内部に設けられている。
【００２１】
（お）規制部
規制部５３は、取付部４７と把持部（下流側口部）２７との間に設けられている。規制部５３は、筒部５５と延伸部５７との間に設けられている。具体的には、把持部２７と筒部５５に跨って形成されている。規制部５３は、筒部５５の上面から上方に突出する凸部により構成されている。なお、凸部における上流側の端部は、把持部２７とつながっている。
【００２２】
（２）取手
取手２５は、取手筒部８１、取付部４７、ハンドル部３１、スイッチ操作部３３、位置調整操作部３５を有し、取付部４７が接続管２１の筒部５５に嵌合（すきま嵌め）することで、接続管２１の管軸方向に移動可能となる。
（あ）取手筒部
取手筒部８１は、接続管２１に沿って直管状に延伸する筒状をしている。取手筒部８１は、筒部５５と間隔を置いて平行に設けられている。間隔を置く方向は、筒部５５を基準にして延伸部５７が設けられている側であり、ここでは筒部５５の上方となる。
取手筒部８１は、接続管２１の延伸部５７を挿抜自在に収納する。取手筒部８１は、横断面形状において、延伸部５７の横断面形状に似た、左右方向に広い扁平状をしている。取手筒部８１における筒部５５との対向面（下面である）には、支持手段を構成する被支持部８３が設けられている。ここでの被支持部８３は、下方に突出した下端部から左右の両方向に突出する嵌合凸部８３ａを有している。また、嵌合凸部８３ａは、管軸方向に沿って延伸している。
【００２３】
（い）取付部
取付部４７は、取手筒部８１におけるハンドル部３１と反対側に位置する端部の下部に設けられている。取付部４７は、筒部５５に対して摺動可能に嵌合する嵌合部分８５を有している。嵌合部分８５は、筒部５５の外周を全周に亘って嵌合する。換言すると、取付部４７は、筒部５５の横断面における外周形状と一致する形状貫通孔を有し、この貫通孔に筒部５５が挿通することで筒部５５に対して摺動可能に嵌合している。
取付部４７は、嵌合部分８５における貫通孔の下方から筒部５５の管軸と平行に延出する延出部分８７を有している。延出部分８７は、接続管２１の大径筒部７３に向かって延出している。延出部分８７は、横断面において、筒部５５の外周の下面側に当接する形状の上面を有している。換言すると、延出部分８７は、筒部５５を下方から受ける受け部分として機能する。
延出部分８７は、図４に示すように、取手２５の接続管２１からの延伸長さが最大となったときに、大径筒部７３と当接する。この当接状態では、取付部４７と大径筒部７３との間に隙間ができる。この隙間は、人の指が入るのに十分な隙間なので、延伸長さが最大になったときでも取付部４７と大径筒部７３との間で指を挟むことがない。
【００２４】
（う）ハンドル部およびスイッチ操作部
ハンドル部３１は、取手筒部８１の端部に設けられ、湾曲形状をしている。湾曲する方向は、図１に示すように、電気掃除機１の使用時にハンドル部３１が水平方向になる方向である。
スイッチ操作部３３は、取手筒部８１の端部側の上部側に設けられている。つまり、使用者の操作性を向上させるため、スイッチ操作部３３は取手筒部８１におけるハンドル部３１に近い位置に設けられている。
なお、スイッチ操作部３３は、後述する基板と、基板に取り付けられたスイッチ３２とからなる。
【００２５】
（え）位置調整操作部
位置調整操作部３５は、取手筒部８１における取付部４７の近くに設けられている。位置調整操作部３５は、ここでは、押しボタン式が利用され、この押しボタン（３５ａ）を押すと、延伸部５７の凹部５７ａに入り込んでいた凸部（３５ｂ）の係合が解除され、取手２５が接続管２１に対して移動可能となる。
【００２６】
３．使用例
（１）使用時
電気掃除機１は、取手２５を接続管２１に対して縮めた状態で、保管されることが多い。このため、使用時には、使用者の使い勝手のよい位置に取手２５を接続管２１に対して移動させて、取手２５の接続管２１からの延伸長さを調整する。
この調整は、使用者は、接続管２１の把持部２７を一方の手で把持し、他方の手で位置調整操作部３５を操作しながら取手２５の取付部４７を接続管２１の大径筒部７３側に移動させることで、行われる。
この際、例えば、取手２５の延伸長さを最大にするときに、つまり、取付部５１を大径筒部７３に近づけたときに、取付部５１の延出部分８７が大径筒部７３に当接する。当接した状態では、取付部５１大径筒部７３との間に隙間ができる。このため、取付部５１と大径筒部７３との間に使用者の指を挟むようなことを少なくできる。特に、延出部分８７は、取付部５１の下部側に存在するため、延出部分８７の先端付近に使用者の指が存在することが少ない。
【００２７】
（２）保管時
清掃面の掃除が終了すると、電気掃除機１は片付けられる（保管される）。この保管される際の電気掃除機１の取手２５は、接続管２１に対して縮められた状態であることが多い。
取手２５の縮めは、取手２５の延伸長さの調整と同様に行われる。つまり、使用者は、接続管２１の把持部２７を一方の手で把持し、他方の手で位置調整操作部３５を操作しながら取手２５の取付部５１を接続管２１の把持部２７側に移動させる。
この際、把持部２７と取付部５１との間に規制部５３が存在している。このため、把持部２７と取付部５１との面同士が当接することはなく、取手２５を縮める際に使用者の手を挟むような危険性がなくなる。
特に、規制部５３は、接続管２１の延伸部５７と筒部５５との間に設けられているので、規制部５３は延伸部５７の影となり、規制部５３と取付部５１との間に使用者の指が入り難い構造となっている。
また、規制部５３と取付部５１とが当接した状態では、把持部２７と取付部５１との間に隙間ができる。このため、例えば、規制部がなく、把持部２７と取付部５１とが当接する際に把持部２７と取付部５１との間に指が挟まれるような握り方で取手２５を縮めても、規制部５３のある本実施形態の電気掃除機１では、けがするようなことを少なくできる。
【００２８】
４．実施例
（１）接続管
接続管２１は、図８に示すように、接続本体１０１、接続本体カバー１０３、解除手段６７、段付チャンネル材１０５、チャンネルカバー１０７、一対の半割筒体１０９から主に構成される。なお、配線収容部分６１内に配される駆動用配線および延伸部５７内に配されるスイッチ用配線の図示は省略している。
接続本体１０１は、内部に吸引路を構成する吸引空間１１１を全長に亘って内部に有している。接続本体１０１の上部は平坦状を有し、この平坦な部分に、端子や配線を固定するボスや補強用のリブ等が形成されている。
接続本体１０１の一方の端部１０１ａは、上流側口部２７の上流側筒部６３に相当し、端部１０１ａの上面が、段付チャンネル材１０５の一端の下段部１１３により覆われる。このとき、下段部１１３の開口１１３ａから解除ボタン６７ａが露出する状態で、解除手段６７が内部に収容される。これにより端子収容部６５が構成され、接続本体１０１の端部１０１ａに接続管２１の把持部２７が構成される。
【００２９】
接続本体１０１の他方の端部１０１ｂは、下流側端部４９の下流側筒部７１に相当し、端部１０１ｂに一対の半割筒部１０９ａ，１０９ｂが取り付けられる。なお、一対の半割筒部１０９ａ，１０９ｂは、組み合わせると筒状となり、ここでは、上下方向から接続本体１０１の端部１０１ｂを挟持することで、大径筒部７３が構成される。上側に取り付けられる半割筒部１０９ｂの上部は支持部７４となっている。
接続本体１０１における両端部間の中間部１０１ｃは、接続管２１の筒部分５９に相当し、中間部１０１ｃの上面は、接続本体カバー１０３により覆われる。接続本体カバー１０３は横断面形状が逆「Ｕ」字状をし、接続本体１０１に装着されると内部に空間が形成される。これにより、配線収容部分６１が構成され、この空間内に駆動用配線が配される。
段付チャンネル材１０５は延伸部５７の一部を構成する。段付チャンネル材１０５の上段部１１４は横断面形状が逆「Ｕ」字状をし、下面の開口が板状のチャンネルカバー１０７により塞がれる。これにより、延伸部５７が構成され、内部に空間が形成される。この空間にはスイッチ用配線が配される。
【００３０】
（２）取手
取手２５は、図９に示すように、取手本体１２１、取手カバー１２３、スイッチ操作部３３、嵌合部材１２５、受け部材１２７から主に構成される。
取手本体１２１は、横断面形状が「Ｕ」字状をした半筒状の半筒部１３１と、半筒部１３１の一方の端１３１ａの下面（「Ｕ」字の開口が存在する側と反対側の面である。）に設けられた筒状部１３３とを有する。半筒部１３１は、直線状に延伸する直状延伸部分１３５と、直状延伸部分１３５の他方の端部から下方へ徐々に湾曲する曲状延伸部分１３７とを有する。
取手本体１２１の上部は取手カバー１２３により覆われる。取手カバー１２３も、取手本体１２１と同様に、直状延伸部１４１と曲状延伸部１４３とを有する。取手カバー１２３の横断面形状は半円状をし、取手本体１２１が取手カバー１２３により覆われることにより、内部に空間が形成される。この空間は、接続管２１の延伸部３７が収容される空間となる。
【００３１】
この空間には、スイッチ操作部３３や位置調整操作部３５が収容される。スイッチ操作部３３は、基板３４とスイッチ３２とを備えている。なお、スイッチ３２は、ボタン式であり、取手カバー１２３の貫通孔１４１ａを介して外部に露出し、保護カバー１４５により保護される。位置調整操作部３５は、その押しボタン３５ａが取手カバー１２３の貫通孔１４１ｂを介して外部に露出し、延伸部５７の凹部５７ａに入り込む凸部３５ｂが収容され、構成される。
筒状部１３３の内部には、嵌合部材１２５と受け部材１２７が挿入される。これにより取付部５１が構成される。嵌合部材１２５は、筒状部１３３における曲状延伸部分１３７と反対側の開口を塞ぐように筒状部１３３に挿入される。嵌合部材１２５は、延伸部５７を取手２５内に受け入れるための受入口１４７と、筒部５５の外周面に沿って当接する当接部１４９とを有する。
受け部材１２７は、筒状部１３３内に配され且つ筒部５５の下面外周に沿って当接する当接部１５１と、筒状部１３３から曲状延伸部分１３７側に延出し且つ筒部５５の外周面に沿って当接する延出部分１５３を有する。この延出部分１５３が延出部分８７に相当する。
【００３２】
５．規制部
規制部５３は、筒部５５の周面と把持部２７の端面とに跨る状態で設けられている。しかしながら、規制部は、把持部と取付部とが当接するのを規制できればよく、図１０に示すような規制部２０１，２１１であってもよい。
図１０の（ａ）に示す規制部２０１は、筒部５５の上面であって把持部２７から離れた位置に設けられ、筒部５５の上面から延伸部５７に向けて突出する。なお、ここでは、規制部２０１は、筒部５５の上面から延伸部５７との間に隙間２０３が存在するように突出しているが、突出先が延伸部５７に達してもよい。
図１０の（ｂ）に示す規制部２１１は、取付部４７における把持部２７と対向する面に設けられ、延伸部５７の下面に沿って把持部２７側に突出する。このように規制部２１１を取手（取付部４７）側に設ける場合、規制部は筒部５５と延伸部５７との間に存在するのが好ましい。したがって、規制部は、筒部と延伸部の間に隙間（２１３）が存在するように取付部に設けられてもよいし、隙間ができないように取付部に設けられてもよい。
また、接続管２１に延伸部５７が存在する場合、規制部は延伸部５７と筒部５５との間に存在するのが好ましい。これは、延伸部５７と筒部５５との間に使用者の指が入りにくく、規制部と取付部とで指が挟まれたり、規制部と把持部とで指が挟まれたりするようなことを抑制できるからである。
【００３３】
＜変形例＞
以上、実施形態に係る電気掃除機について説明したが、本発明は上記実施形態に限られるものではなく、例えば、以下のような変形例であってもよい。また、実施形態と変形例、変形例同士を組み合わせたものであってよい。
また、実施形態や変形例に記載していない例や、要旨を逸脱しない範囲の設計変更があっても本発明に含まれる。
【００３４】
１．電気掃除機
電気掃除機は、キャニスタ式であればよく、掃除機の構造は特に限定するものではない。例えば、接続体のホースは、接続管に対して着脱自在に取り付ける構造であってもよい。
また、電気掃除機は、電動送風機を利用したものをいい、商用電源にケーブルを介して接続されるケーブル有タイプでもよいし、充電器（蓄電池）を内蔵する、所謂充電タイプでもよい。
２．接続管
（１）延伸部
実施形態では、接続管２１は筒部５５と間隔をおいて延伸部５７を有しているが、筒部と延伸部とが一体となった構造であってもよい。この場合も、把持部と移動部との間に規制部を設ければよい。例えば、接続管の外周面であって把持部と移動部との間に凸部を設けてもよい。この場合、凸部の高さは低い方が好ましい。これは、低いほど、把持部と移動部との間に指が挟まれ難くなるためである。
【００３５】
（２）大径部
実施形態では、接続管２１の下流側端部４９に大径筒部７３が設けられている。大径筒部７３は、取手２５の下流側への移動を規制する規制部としての機能を有する。しかしながら、他の手段で取手の下流側への移動を規制できれば、大径部とする必要はない。
他の手段として、例えば、下流側端部の外周面であって周方向に間隔をおいて突部により構成できる。また、本実施形態では、移動可能な取手の支持手段として、取手２５に嵌合凸部（８３）を、接続管２１の大径筒部７３に嵌合溝（７４）をそれぞれ設けている。嵌合凸部は、接続管の管軸方向に沿って伸びており、嵌合凸部における取付部４７に近い端部に嵌合溝（７４）よりも大きな凸部を設けることで構成できる。
（３）配線収容部分
配線収容部分６１は、筒部５５の上部に設けられているが、下部に設けられてもよい。ただし、配線収容部分は、筒部分と取手との間に設けた方が好ましい。これは、配線収容部分が取手２５により保護されるからである。
【００３６】
３．取手
（１）取付部位置
実施形態での移動部は、取付部４７として構成されていたが、取手２５の接続管２１からの延伸長さが最小のときに、接続管の把持部に近い側の端部以外の部位に取付部４７を設けてもよい。ただし、接続管および取手の長さを考慮すると、取付部を把持部に近い側の端部に設けた方が好ましい。
また、取付部は位置調整操作部に近い部位に存在するのが好ましい。これは、接続管に対して取手の位置を調整する際には、使用者は、位置調整操作部に近い部位を把持することが多く、取手を移動させようとする負荷が使用者が把持する部位周辺に作用するからである。
（２）取付部の構造
実施形態での取付部４７は、接続管２１の筒部５５の外周に嵌合することで、接続管２１に対して移動可能に取り付けられている。しかしながら、取手を接続管に移動可能に取り付けることができれば、取付方法は他の方法でもよい。
例えば、筒部の外周の左右部位から外方（左右方向）に突出する突出部を管軸方向に沿って設け、この突出部に嵌合する嵌合部を有することにより取付部を構成してもよい。
【符号の説明】
【００３７】
１    電気掃除機
３    掃除機本体
５    接続体
７    吸込口体
２１    接続管
２３    ホース
２５    取手
２７    把持部
４７    取付部（移動部）
５３    規制部
【図１】
0006325954.tif 000002
【図２】
0006325954.tif 000003
【図３】
0006325954.tif 000004
【図４】
0006325954.tif 000005
【図５】
0006325954.tif 000006
【図６】
0006325954.tif 000007
【図７】
0006325954.tif 000008
【図８】
0006325954.tif 000009
【図９】
0006325954.tif 000010
【図１０】
0006325954.tif 000011